(57)【特許請求の範囲】
【請求項１】
液体を吸排する羽根車を内蔵したケーシングと、羽根車を駆動するモータ部と、ケーシングとモータ部とを仕切る仕切板と、を有し、モータ部には、ケースに収納され羽根車の位置を検出する位置検出センサが端部に配置された制御基板と、モータ部および制御基板を封止する樹脂と、を備え、ケースには、位置検出センサの取りつけ位置を規制するリブを設けたものであり、位置検出センサは、ケースのリブが仕切板に当接することにより、取りつけ位置が規制されるようになしたポンプ。
【請求項２】
制御基板には、制御基板上の位置検出センサと対向する端部に、制御基板に電源を供給
する電源コードが接続されるコネクタを設けた請求項１記載のポンプ。
【請求項３】
請求項１または２記載のポンプを備えた液体循環装置。
【発明の詳細な説明】
【技術分野】
【０００１】
本願発明は、モータにより駆動され、液体を吸入して吐出するポンプおよび同ポンプを備えた液体循環装置に関するものである。
【背景技術】
【０００２】
ポンプにおいては、液体を吸排する羽根車を内蔵したケーシングと、この羽根車を駆動するためのモータ部とを有しており、そのモータ部には、羽根車の位置を検出する位置検出センサが配置された制御基板を備えていて、上記モータ部および制御基板は、液体の侵入や高湿度の設置環境による腐食を防止するために、樹脂によって封止されている。
【０００３】
上記ケーシングとモータ部との間には仕切板が配置されており、ケーシング内の液体がモータ部へ漏れることを防止している。この仕切板の近くに封止された樹脂には、位置検出センサが挿入されるとともに、位置検出センサの取付け位置を規制する凹部が形成されている。
【０００４】
上記の構成において、位置検出センサの取付け位置のばらつきを防止することにより、モータの回転性能のばらつきを防止することができるポンプが提案されている（特許文献１）。
【特許文献１】特開平９−１３１０３８号公報
【発明の開示】
【発明が解決しようとする課題】
【０００５】
しかしながら、前記背景技術の特許文献１に記載のポンプにおいては、モータ部を樹脂で封止した後に、位置検出センサを挿入する凹部を形成する必要があるために、ポンプの製造工程が繁雑になってしまい、その結果ポンプの製造コストが増加してしまうといった問題点があった。
【０００６】
また、位置検出センサは、形成された凹部に挿入されているのみで封止されておらず、このため、例えばポンプの設置環境が高湿度の場合は、位置検出センサが腐食される可能性があった。
【０００７】
本願発明はこのような上記背景技術の課題を解決するものであり、簡単な構成かつ容易に位置検出センサの取付け位置を確実に規制するとともに、位置検出センサの腐食を防止することで、モータ部の回転性能を常時確実に安定させることができるポンプを提供することを目的とする。
【課題を解決するための手段】
【０００８】
上記課題を解決するために、本願発明は、液体を吸排する羽根車を内蔵したケーシングと、羽根車を駆動するモータ部と、ケーシングとモータ部とを仕切る仕切板と、を有し、モータ部には、ケースに収納され羽根車の位置を検出する位置検出センサが端部に配置された制御基板と、モータ部および制御基板を封止する樹脂と、を備え、ケースには、位置検出センサの取りつけ位置を規制するリブを設けたものであり、位置検出センサは、ケースのリブが仕切板に当接することにより、取りつけ位置が規制されるようになしたことを特徴としている。
【０００９】
この構成により、簡単な構成かつ容易に位置検出センサの取付け位置を確実に規制するとともに、位置検出センサの腐食を防止するという作用が達成できる。
【発明の効果】
【００１０】
本発明は、モータ部による羽根車の回転を常時確実に安定させることができるポンプを提供できるという効果を奏する。
【発明を実施するための最良の形態】
【００１１】
図１から５は、本願発明の実施形態であるポンプ１を示している。
【００１２】
本願発明の実施の形態は、液体を吸排する羽根車３を内蔵したケーシング４と、羽根車３を駆動するモータ部としてのモータ５と、ケーシング４とモータ５とを仕切る仕切板２０と、を有し、モータ５には、ケース９に収納され羽根車３の位置を検出する位置検出センサ６が端部に配置された制御基板７と、モータ５および制御基板７を封止する樹脂８と、を備え、ケース９には、位置検出センサ６の取り付け位置を規制するリブ１０を設けるようにしたものである。
【００１３】
これにより、簡単な構成かつ容易に位置検出センサ６の取りつけ位置を規制するとともに、位置検出センサ６の腐食を防止することで、モータ５による羽根車３の回転を常時確実に安定できるポンプ１を提供することができる。
【００１４】
また、位置検出センサ６は、ケース９のリブ１０が仕切板２０に当接することにより、取りつけ位置が規制されるようにしてもよい。
【００１５】
この場合は、リブ１０を仕切板２０に当接することにより、位置検出センサ６の取りつけ位置を確実に規制することができる。
【００１６】
さらに、制御基板７には、制御基板７上の位置検出センサ６と対向する端部に、制御基板７に電源を供給する電源コード（図示せず）が接続されるコネクタ１１を設けてもよい。
【００１７】
この場合は、モータ５および制御基板７を樹脂８により封止する際に、上記ケース９およびコネクタ１１により位置検出センサ６の取付け位置を規制できるために、モータ５の回転性能をより確実に安定させることができる。
【００１８】
そして、上記ポンプ１を浴槽水循環装置に組み込むことで、浴槽水循環装置における浴槽水循環性能を大いに安定することができる。
【００１９】
以下、この実施形態のポンプ１を、より具体的詳細に説明する。このポンプ１は図１に示すように、液体循環装置としての浴槽水循環装置の循環往路２に設けられており、人工大理石やステンレスまたはＦＲＰ（繊維強化プラスチック）等からなる浴槽１２があり、その浴槽１２の外側には浴槽１２内の浴槽水１３を吸入して吐出するための上記ポンプ１と、浴槽水１３を加熱するための、ガスや電気または灯油等を用いた加熱部１４が設置されている。
【００２０】
浴槽１２の下部の側面には、浴槽水１３の流出口１５が取りつけられていて、その流出口１５には、耐熱塩ビ（塩化ビニル）やステンレス等からなる循環往路２が接続されている。循環往路２の途中には、ポンプ１が取りつけられていて、さらに循環往路２は加熱部１４に接続されている。
【００２１】
そして加熱部１４には、同じく耐熱塩ビ（塩化ビニル）やステンレス等からなる循環復路１６が接続されていて、その循環復路１６は、浴槽１２の側面であって流出口１５の上方に取りつけられた流入口１７に接続されている。
【００２２】
図２から５に示すように、ポンプ１は、浴槽水１３を吸排する羽根車３を内蔵したケーシング４と、羽根車３を駆動するステータ１８とステータ１８に設けられた巻線１９、およびこのステータ１８を制御する制御基板７からなるモータ５と、ケーシング４とモータ５とを仕切る仕切板２０と、モータ５を封止して、モータ５への液体の侵入や高湿度の設置環境による腐食を防止する樹脂８とから構成されている。
【００２３】
上記ケーシング４および仕切板２０には、ポリフェニレンサルファイド（ＰＰＳ）等のプラスチックや、ステンレス等の金属が用いられていて、ケーシング４には、液体の吸入口４ａと吐出口４ｂとが設けられている。ケーシング４と仕切板２０との接続部には、Ｏリング２０ａが配置されていて、ケーシング４内の液体が外部に漏れることを防止している。
【００２４】
次に、上記仕切板２０は中央部が凹形に形成されており、その凹形に形成された内部には、羽根車３と一体に設けられ、ステータ１８により回転駆動されるロータ２１が収納されている。
【００２５】
上記羽根車３の中心部のロータ２１側には、羽根車３の軸２２が設けられており、この軸２２の側部には、軸２２を支持する軸受２３が配置されていて、前記軸受２３の両端側には、軸受２３の位置を規制する、セラミック等からなる軸受板２４が設けられている。また、軸２２の羽根車３側の端部には、緩衝材２５が設けられている。
【００２６】
仕切板２０の側部外周にはステータ１８が設けられており、このステータ１８には巻線１９が３相集中巻きにより取りつけられている。上記ステータ１８の外周側には、複数のインシュレータ２６が設けられていて、このインシュレータ２６において、仕切板２０の底部側の端部には、ステータ１８を制御するための制御基板７が取りつけられている。
【００２７】
上記制御基板７の端部であって仕切板２０側には、ロータ２１の位置を検出するためのホールセンサ等からなる位置検出センサ６が、ケース９に収納された状態で配置されており、前記位置検出センサ６と対向する制御基板７の端部であって、仕切板２０の反対側には、制御基板７に電源を供給する電源コード（図示せず）が接続されるコネクタ１１が設けられている。
【００２８】
ここで、図６および７に示すように、位置検出センサ６は３相を制御するために、３つの位置検出センサ６により構成されており、上記位置検出センサ６はケース９に収納され、スナップフィットにより制御基板７に固定されている。また、図８に示すように、ケース９に設けられたリブ１０が仕切板２０の底部の端側に当接することにより、位置検出センサ６の位置が規制されるようになっている。
【００２９】
一方、モータ５を樹脂８により封止する際は、図９に示すように、成型金型２７の上型２８および下型２９をはめ合わせた際に成型金型２７の内部に形成される空間３０内に、仕切板２０と、モータ５を構成する巻線１９が設けられたステータ１８、およびインシュレータ２６によりステータ１８に取りつけられた制御基板７とを設置する。
【００３０】
次に、上型２８の上部よりピン３１を挿入して制御基板７を固定するが、このとき上述したように、位置検出センサ６が収納されたケース９に設けられたリブ１０により位置検出センサ６の取りつけ位置が規制されており、取りつけ位置のずれが防止されている。
【００３１】
また、図９に示すように、上記制御基板７において位置検出センサ６が収納されたケース９と対向する端部に設けられたコネクタ１１を、上型２８と下型２９とで挟み込んで固定することにより制御基板７の固定をより確実に行うことができるため、位置検出センサ６の取りつけ位置をより確実に規制することができる。
【００３２】
次に、上型２８の側部に形成された注入口３２より樹脂８を注入し、この注入される樹脂８に圧力を加えることにより、樹脂８を成型金型２７内の空間３０の隅々まで行き渡らせることができる。
【００３３】
ここで、制御基板７はケース９およびコネクタ１１により取りつけ位置が規制されているために、注入された樹脂８による制御基板７の移動が防止されることで、位置検出センサ６の取りつけ位置のずれが防止されている。そして、注入された樹脂８が硬化した後、上型２８および下型２９を取り外すことにより、樹脂８によるモータ５の封止が完了する。
【００３４】
以上の構成において、本願発明の実施形態におけるポンプ１および、このポンプ１を備えた浴槽水循環装置の動作を図１から８を用いて説明する。
【００３５】
制御基板７により制御されたステータ１８において磁界が発生すると、発生した磁界によりロータ２１が駆動されて、このロータ２１に接続された羽根車３が回転する。このとき、リブ１０により位置検出センサ６の取りつけ位置が確実に規制されているために、位置検出センサ６は、常時確実にロータ２１の位置を検出することができる。
【００３６】
羽根車３が回転すると、浴槽１２内の浴槽水１３が、浴槽１２の側面に設けられた流出口１５より流出した後に循環往路２を通って、ポンプ１のケーシング４に設けられた吸入口４ａより吸入される。
【００３７】
吸入された浴槽水１３は、回転する羽根車３によりケーシング４に設けられた吐出口４ｂから吐出され、吐出口４ｂに接続された循環往路２を通って、ガスや電気または灯油等を用いた加熱部１４に導入され、所定の温度まで加熱された後、その加熱部１４に接続された循環復路１６を流れて、浴槽１２の側面の流出口１５の上側に取りつけられた流入口１７より、浴槽１２内へ流入する。
【００３８】
このように浴槽水１３を、ポンプ１を用いることにより循環し、加熱部１４において所定の温度まで加熱することで、浴槽１２内の浴槽水１３を所定の温度まで加熱し、かつ加熱後も浴槽水１３の循環を継続することで、浴槽水１３の温度を常時所定温度に保つことができる。
【００３９】
以上のように本願発明の実施形態によれば、位置検出センサ６の取りつけ位置を確実に規制することで、モータ５による羽根車３の回転を常時確実に安定できるポンプ１を提供することができる。
【００４０】
また、コネクタ１１により位置検出センサ６の取りつけ位置を、より確実に規制することができるため、モータ５による羽根車３の回転をさらに安定させることができる。
【００４１】
なお、上記本願発明の実施形態においては、浴槽水１３の循環に用いられるポンプ１を示しているが、例えば、給湯機器に使用される給湯機器用ポンプや井戸用ポンプ、さらには給水用ポンプ等に用いられるポンプであってもよい。
【図面の簡単な説明】
【００４２】
【図１】本願発明の実施形態であるポンプを備えた浴槽水の循環装置の構成を示す側面図。
【図２】同ポンプの側部断面図。
【図３】同ポンプの前方斜視図。
【図４】同ポンプの後方斜視図。
【図５】同ポンプの分解斜視図。
【図６】同ポンプの位置検出センサのケースの拡大斜視図。
【図７】同ポンプの位置検出センサのケースへの収納状況を示す拡大斜視図。
【図８】同ポンプの位置検出センサのケースの取りつけ状況を示す拡大断面図。
【図９】同ポンプの樹脂封止時に用いる成型金型の断面図。
【符号の説明】
【００４３】
１  ポンプ
３  羽根車
４  ケーシング
５  モータ
６  位置検出センサ
７  制御基板
８  樹脂
９  ケース
１０  リブ
１１  コネクタ
１２  凸部
１４  凸起
１５  リブ
２０  仕切板
【図１】
0004760527.tif 000002
【図２】
0004760527.tif 000003
【図３】
0004760527.tif 000004
【図４】
0004760527.tif 000005
【図５】
0004760527.tif 000006
【図６】
0004760527.tif 000007
【図７】
0004760527.tif 000008
【図８】
0004760527.tif 000009
【図９】
0004760527.tif 000010